(57)【要約】【課題】処理対象水中に含まれる濁度成分、金属イオン、鉛イオン、遊離残留塩素、有機塩素化合物、トリハロメタン、ＣＡＴ，２−ＭＩＢ，硝酸性窒素、クリプトスポリジウム等の菌類など有害物を除去すると同時に還元機能を有する機能水を作り出す水浄化還元ろ過器の提供を目的とする。【解決手段】イオン交換を主目的とした第１のカートリッジ１０と、有害物質吸着・金属イオン交換・主たるイオン溶出を主目的とした第２のカートリッジ２０とを流体の磁化浄化装置３０を介在させて接合し、第１のカートリッジ１０から第２のカートリッジ２０に処理対象水を通過させて処理対象水を浄化還元し、さらに第２のカートリッジ２０の処理対象水流出側の吐出配管ライン８にクリプトスポリジウム等を除去するメンブレムフィルター内蔵のチューブラウルトラフィルターカートリッジ９を配置した。【選択図】　　　図１
0003097872.tif 000002
【実用新案登録請求の範囲】
【請求項１】
イオン交換を主目的とした第１のカートリッジと、有害物質吸着・金属イオン交換・主たるイオン溶出を主目的とした第２のカートリッジとを流体の磁化浄化装置を介在させて接合し、第１のカートリッジから第２のカートリッジに処理対象水を通過させることにより処理対象水を浄化還元するようにしたことを特徴とする水浄化還元ろ過器。
【請求項２】
イオン交換を主目的とした第１のカートリッジと、有害物質吸着・金属イオン交換・主たるイオン溶出を主目的とした第２のカートリッジとを一体化構造にするとともに、第１のカートリッジの処理対象水流入側に磁化浄化装置を配置したことを特徴とする水浄化還元ろ過器。
【請求項３】
前記第１，第２のカートリッジは、各々その内部を異なる充填ろ材で複数層に分けるとともに、各層充填ろ材の混合防止のため、充填ろ材間を通過する処理対象水の水道ショートカット防止のため、処理対象水と充填ろ材間に発生する摩擦エネルギーによる充填ろ材微粉末流出防止及び処理対象水含有濁度成分をカットするために不織布フィルターと非腐食性網とをサンドイッチ構造とした整流仕切板を層空間を仕切るように配置したことを特徴とする請求項１又は２記載の水浄化還元ろ過器。
【請求項４】
前記第１のカートリッジの処理対象水流入側、流出側にそれぞれ不織布フィルターカセット板を固定するとともに、カートリッジ内部を２層に分け、第１層には麦飯石を主成分とするセラミック粒子とＣａＣＯ３　を主成分とするＣＲＲセラミックス粒子を充填してセラミック溶出層とし、第２層には特殊イオン交換樹脂を充填したことを特徴とする請求項１〜３何れかに記載の水浄化還元ろ過器。
【請求項５】
前記特殊イオン交換樹脂は、ジビニルベンゼン・スチレン共重合体の４級アミノ化合物を充填したものであることを特徴とする請求項４記載の水浄化還元ろ過器。
【請求項６】
前記第２のカートリッジの処理対象水流入側、流出側にそれぞれ不織布フィルターカセット板を固定するとともに、カートリッジ内部を４層に分け、第１層にはマイナスイオンを照射するためのマイナスイオンセラミックスを、第２層には鉛金属イオンを吸着イオン交換するためのイオン交換繊維フィルターを、第３層には有機塩素化合物・トリハロメタン・ＣＡＴ・２−ＭＩＢ類を吸着するための銀イオンコーティング活性炭を、第４層には活性酸素を還元するためのミネラル成分を溶出する亜硫酸カルシウムセラミックスを充填したことを特徴とする請求項１〜３何れかに記載の水浄化還元ろ過器。
【請求項７】
前記マイナスイオンセラミックスは８（Ａｌ２Ｏ３・２ＳｉＯ２　）１．５（Ｋ２Ｏ・Ａｌ２Ｏ３・６ＳｉＯ２）１（ＴｈＯ２・５ＳｉＯ２）で構成され、前記イオン交換繊維フィルターはアクリロニトリル／アクリレート複合繊維カルシウム置換体を化学成分とする弱酸性型で構成され、前記銀イオンコーティング活性炭は９０％以上炭素成分で構成され、前記亜硫酸カルシウムセラミックスは２（Ｋ２Ｏ・３Ａｌ２Ｏ・６ＳｉＯ２　）３（Ｋ２Ｏ・Ａｌ２Ｏ３・２ＳｉＯ２）ＴｉＯ２・１／４Ａｇ２Ｏで構成されていることを特徴とする請求項６記載の水浄化還元ろ過器。
【請求項８】
前記第２のカートリッジの処理対象水流出側に接続された吐出配管ラインには、クリプトスポリジウム等を除去するメンブレムフィルター内蔵のチューブラウルトラフィルターカートリッジを配置したことを特徴とする請求項４又は６記載の水浄化還元ろ過器。
【考案の詳細な説明】
【０００１】
【考案の属する技術分野】
本考案は、水道水や井戸水等の処理対象水が通過可能であり、ミネラルセラミックスとイオン交換樹脂を充填した第１のカートリッジ（下部カートリッジ）と、流体の磁化浄化装置と、活性炭・マイナスイオンセラミックス、弱酸性イオン交換繊維フィルター、マイナスミネラルイオン溶出セラミックスを充填した第２のカートリッジ（上部カートリッジ）及びメンブレンフィルター使用のカートリッジを備えた主として家庭用の水浄化還元ろ過器に関するものである。
【０００２】
【従来の技術】
従来より、水（原水）中に含有される赤錆、残留塩素または有機塩素化合物等を除去する手段として、浄水器等のろ過器が広く使用されている。この種のろ過器としては、サンドフィルター及び活性炭、セラミックス粒子あるいは中空糸膜を用いてＳＳ（懸濁物質）を除去するもの、水中の金属イオンを吸着除去するためにカチオンイオン交換樹脂をカートリッジに充填したもの、水の硝酸性窒素を除去する目的でイオン交換樹脂を充填したものあるいは限界ろ過膜（ＲＯ）を使用したもの、又は塩素イオン・臭気・過マンガン酸カルシウム消費量成分を吸着除去するために活性炭を用いたもの等が知られている。
さらに、還元機能水を得るための電気分解型浄水器等が知られている。また、磁気水処理器においては、浄水器とは別途に装着する方法が一般的に使用されているが、ＲＯ型浄水器以外は鉛金属イオンを除去することは不可能であった。
【０００３】
【考案が解決しようとする課題】
前述した従来のろ過器では、硝酸性窒素、濁度成分、金属イオン、有機塩素化合物、菌類等の何れかの除去を主眼とするものであり、これら全てを同時に除去することはできず、仮に全ての上記有害物質を除去しようとすると、ろ過器が非常に大型化するという問題があり、ろ過方式の浄水器では鉛金属イオンを高除去率で大容量の処理水量を確保することは不可能であった。
【０００４】
また、硝酸性窒素、鉛金属イオン、ＣＡＴ、２−ＭＩＢを同時に除去できるＲＯ型浄水器においては、処理水量が０．１Ｌ／ｍｉｎ以下であるとともに、形態が汲置き型の浄水器となり使い勝手や雑菌が増殖するという問題がある。
【０００５】
本考案の課題は、処理対象水中に含まれる濁度成分、金属イオン、鉛イオン、遊離残留塩素、有機塩素化合物、トリハロメタン、ＣＡＴ，２−ＭＩＢ，硝酸性窒素、クリプトスポリジウム等の菌類など有害物を除去すると同時に還元機能を有する機能水を作り出す水浄化還元ろ過器を提供することにある。
【０００６】
【課題を解決するための手段】
上記課題を解決するため、以下のような手段を採用した。
請求項１に記載の水浄化還元ろ過器は、イオン交換を主目的とした第１のカートリッジと、有害物質吸着・金属イオン交換・主たるイオン溶出を主目的とした第２のカートリッジとを流体の磁化浄化装置を介在させて接合し、第１のカートリッジから第２のカートリッジに処理対象水を通過させることにより処理対象水を浄化還元するようにしたことを特徴としている。
【０００７】
請求項２記載の水浄化還元ろ過器は、イオン交換を主目的とした第１のカートリッジと、有害物質吸着・金属イオン交換・主たるイオン溶出を主目的とした第２のカートリッジとを一体化構造にするとともに、第１のカートリッジの処理対象水流入側にの磁化浄化装置を配置したことを特徴としている。
【０００８】
請求項３記載の水浄化還元ろ過器は、請求項１又は２の浄化還元ろ過器において、第１，第２のカートリッジが、各々その内部を異なる充填ろ材で複数層に分けられているとともに、各層充填ろ材の混合防止のため、充填ろ材間を通過する処理対象水の水道ショートカット防止のため、処理対象水と充填ろ材間に発生する摩擦エネルギーによる充填ろ材微粉末流出防止及び処理対象水含有濁度成分をカットするために不織布フィルターと非腐食性網とをサンドイッチ構造とした整流仕切板を層空間を仕切るように配置されていることを特徴としている。
【０００９】
請求項４記載の水浄化還元ろ過器は、請求項１〜３何れか記載の水浄化還元ろ過器において、第１のカートリッジの処理対象水流入側、流出側にそれぞれ不織布フィルターカセット板を固定するとともに、カートリッジ内部を２層にに分け、第１層には麦飯石を主成分とするセラミック粒子とＣａＣＯ３　を主成分とするＣＲＲセラミックス粒子を充填してセラミック溶出層とし、第２層には特殊イオン交換樹脂を充填したことを特徴としている。
【００１０】
請求項５記載の水浄化還元ろ過器は、請求項４記載の水浄化還元ろ過器において、特殊イオン交換樹脂は、ジビニルベンゼン・スチレン共重合体の４級アミノ化合物を充填したものであることを特徴としている。
【００１１】
請求項６記載の水浄化還元ろ過器は、請求項１又は２記載の水浄化還元ろ過器において、第２のカートリッジの処理対象水流入側、流出側にそれぞれ不織布フィルターカセット板を固定するとともに、カートリッジ内部を４層に分け、第１層にはマイナスイオンを照射するためのマイナスイオンセラミックスを、第２層には鉛金属イオンを吸着イオン交換するためのイオン交換繊維フィルターを、第３層には有機塩素化合物・トリハロメタン・ＣＡＴ・２−ＭＩＢ類を吸着するための銀イオンコーティング活性炭を、第４層には活性酸素を還元するためのミネラル成分を溶出する亜硫酸カルシウムセラミックスを充填したことを特徴としている。
【００１２】
請求項７記載の水浄化還元ろ過器は、請求項６記載の水浄化還元ろ過器において、マイナスイオンセラミックスは８（Ａｌ２Ｏ３・２ＳｉＯ２　）１．５（Ｋ２Ｏ・Ａｌ２Ｏ３・６ＳｉＯ２）１（ＴｈＯ２・５ＳｉＯ２）で構成され、前記イオン交換繊維フィルターはアクリロニトリル／アクリレート複合繊維カルシウム置換体を化学成分とする弱酸性型で構成され、前記銀イオンコーティング活性炭は９０％以上炭素成分で構成され、前記亜硫酸カルシウムセラミックスは２（Ｋ２Ｏ・３Ａｌ２Ｏ・６ＳｉＯ２　）３（Ｋ２Ｏ・Ａｌ２Ｏ３・２ＳｉＯ２）ＴｉＯ２・１／４Ａｇ２Ｏで構成されていることを特徴としている。
【００１３】
請求項８記載の水浄化還元ろ過器は、請求項４又は６記載の水浄化還元ろ過器において、第２のカートリッジの処理対象水流出側に接続された吐出配管ラインには、クリプトスポリジウム等を除去するメンブレムフィルター内蔵のチューブラウルトラフィルターカートリッジが配置されていることを特徴としている。
【００１４】
【考案の実施の形態】
以下、図面を参照して、本考案に係る水浄化還元ろ過器の一実施の形態について説明する。
図１は、本考案の一実施形態である水浄化還元ろ過器の内部構造を示すものである。
図に示すように、水浄化還元ろ過器５０はイオン交換を主目的とした第１のカートリッジ１０と、有害物質吸着・金属イオン交換・主たるイオン溶出を主目的とした第２のカートリッジ２０とを流体活性化用の磁化浄化装置３０を介在させて接合した構造となっている。なお、第１のカートリッジ１０（下部カートリッジ）は下側に配置されており、第２のカートリッジ２０（上部カートリッジ）は上側に配置されている。
【００１５】
第１のカートリッジ１０の処理対象水（原水）を流入させる入口部分と流出させる出口部分にはそれぞれ、カセット形式の不織布フィルター３が取り付けられている。その入口部分には処理対象水を流入させる流入用ホース１が取り付けられているとともに、出口部分にはパイプが接続されていて、該パイプにより第２のカセット２０と連通接合されている。
【００１６】
第１のカートリッジ１０内部は充填物でＡ，Ｂ２層に区分されており、Ａ層は麦飯石セラミックス粒子と炭酸カルシウムを主成分とするＣＲＲセラミックス粒子とで構成されており、処理対象水中に多元素ミネラル成分を溶出する。一方、Ｂ層はジビニルベンゼン・スチレン共重合体の４級アミノ化合物（塩化イオン型）の特殊イオン交換樹脂で構成されており、硝酸性窒素や亜硝酸性窒素をイオン交換除去する。また、Ｂ層の中程には、この特殊イオン交換樹脂の乾燥を防ぐ目的で不織布フィルターと非腐食性網とをサンドイッチ構造にした整流板４を配置している。なお、この整流板４は、各層の充填ろ材に均等に処理対象水が接触通過させるように作用する。すなわち、水道ショートカットを防止する役割も果たしている。
【００１７】
次に、第２のカートリッジ２０について説明する。
第２のカートリッジ２０の処理対象水を流入させる入口部分と流出させる出口部分にもそれぞれ、カセット形式の不織布フィルター３が取り付けられている。その入口部分は第１のカートリッジ１０の出口部分とパイプ接合されている。また、出口部分には吐出配管８が接続されていて、該吐出配管８ラインには、クリプトスポリジウム等の細菌類を除去するメンブレムフィルターが内蔵されたチューブラウルトラフィルターカートリッジ９が配置されている。処理対象水は、このチューブラウルトラフィルターカートリッジ９を通った後に流出用ホース２から処理水として供給される。
【００１８】
この第２のカートリッジ２０内部は充填物でＣ，Ｄ，Ｅ，Ｆ４層に区分されており、Ｃ層はマイナスイオンを照射するためのマイナスイオンセラミックスを、第Ｄ層には鉛金属イオンを吸着イオン交換するためのイオン交換繊維フィルターを、第Ｅ層には有機塩素化合物・トリハロメタン・ＣＡＴ・２−ＭＩＢ類を吸着するための銀イオンコーティング活性炭を、第Ｆ層には活性酸素を還元するためのミネラル成分を溶出する亜硫酸カルシウムセラミックスを充填している。
【００１９】
前記Ｃ層のマイナスイオンセラミックスは８（Ａｌ２Ｏ３・２ＳｉＯ２　）１．５（Ｋ２Ｏ・Ａｌ２Ｏ３・６ＳｉＯ２）１（ＴｈＯ２・５ＳｉＯ２）で構成され、前記Ｄ層のイオン交換繊維フィルターはアクリロニトリル／アクリレート複合繊維カルシウム置換体を化学成分とする弱酸性型で構成され、前記Ｅ層の銀イオンコーティング活性炭は９０％以上炭素成分で構成され、そして前記Ｆ層の亜硫酸カルシウムセラミックスは２（Ｋ２Ｏ・３Ａｌ２Ｏ・６ＳｉＯ２　）３（Ｋ２Ｏ・Ａｌ２Ｏ３・２ＳｉＯ２）ＴｉＯ２・１／４Ａｇ２Ｏで構成されている。
【００２０】
上記第１，２のカートリッジ１０，２０、磁気浄化装置３０及び吐出配管８は図に示すように、ケース４０に収納されており、該ケース４０の側面下方には処理対象水の流入用ホース１と処理が終了した処理水の流出用ホース２が露出している。
【００２１】
この水浄化還元ろ過器５０は、上記のように構成されており、処理対処水は流入用ホース１から流入すると、第１のカートリッジ１０の入口部分の不織布フィルター３によってＳＳ成分、錆成分等が除去され、Ａ層を通過することにより多元素ミネラル分が供給される。続いて、Ｂ層を通過する際に硝酸性窒素等が除去され、第１のカートリッジ１０の出口部分に設けられた不織布フィルター３を経由して流体の磁化浄化装置３０によって活性化される。
【００２２】
次に、処理対象水は第２のカートリッジ２０の入口部分の不織布フィルター３を通過して、Ｃ層にてマイナスイオンが照射され、Ｄ層にて鉛成分を除去される。続いて、Ｅ層において、遊離残留塩素化合物、トリハロメタン、臭気成分、ＣＡＴ、２−ＭＩＢを除去された後、Ｆ層において還元機能が与えられチューブラフィルターカートリッジ９によってクリプトスポリジウム等の細菌類が除去されて処理が終了した処理水として流出用ホース２から供給される。
【００２３】
上記実施の形態では、第１のカートリッジ１０と第２のカートリッジ２０の間に磁気浄化装置３０を介在させたが、第１のカートリッジ１０の下側に配置させても良い。この場合、第１のカートリッジ１０と第２のカートリッジ２０とは一体化構成とすることもできる。
【００２４】
【実施例】
以下の性能試験は、上記実施の形態に係る水浄化還元ろ過器について、財団法人日本食品分析センター（甲と記す。）または株式会社新日本環境コンサルタント（乙と記す。）にて行われたもので、そのときの試験データである。
（１）遊離残留塩素除去性能試験（甲）
ａ．試験概要：ＪＩＳ　Ｓ　３２０１　１９９９「家庭用浄水器試験方法」の連続式浄水器によって、遊離残留塩素を２±０．２ｍｇ／Ｌの濃度に、水温を２０±３℃でに設定した試料水を調整し、検体にろ過流量３．７Ｌ／ｍｉｎで１０分間通水後、ろ過水及び試料水を採取して、遊離残留塩素を測定した。また、ろ過水及び試料水の測定値から除去率を算出した。なお、ろ過水中の濃度が検出限界以下の場合は検出限界から求めた。結果は表１のようになった。
【００２５】
【表１】
0003097872.tif 000003
【００２６】
（２）遊離残留塩素ろ過能力試験（甲）
ａ．試験概要：ＪＩＳ　Ｓ　３２０１　１９９９「家庭用浄水器試験方法」の連続式浄水器によって、遊離残留塩素を２±０．２ｍｇ／Ｌの濃度に、水温を２０±３℃でに設定した試料水を調整し、検体にろ過流量３．７Ｌ／ｍｉｎで通算５０，０００Ｌ通水した。ろ過水及び試料水を採取して、遊離残留塩素を測定した。また、ろ過水及び試料水の測定値から除去率を算出した。なお、ろ過水中の濃度が検出限界以下の場合は検出限界から求めた。結果は表２のようになった。
【００２７】
【表２】
0003097872.tif 000004
【００２８】
（３）総トリハロメタン除去性能試験（甲）
ａ．試験概要：ＪＩＳ　Ｓ　３２０１　１９９９「家庭用浄水器試験方法」の連続式浄水器によって、総トリハロメタン構成物質を表３の濃度に、水温を２０±３℃でに設定した試料水を調整し、検体にろ過流量３．７Ｌ／ｍｉｎで１０分間通水後、ろ過水及び試料水を採取して、総トリハロメタンを測定した。また、ろ過水及び試料水の測定値から除去率を算出した。結果は表４のようになった。
【００２９】
【表３】
0003097872.tif 000005
【００３０】
【表４】
0003097872.tif 000006
【００３１】
（４）総トリハロメタンろ過能力試験（甲）
ａ．試験概要：ＪＩＳ　Ｓ　３２０１　１９９９「家庭用浄水器試験方法」の連続式浄水器によって、総トリハロメタン構成物質を表５の濃度に、水温を２０±３℃でに設定した試料水を調整し、検体にろ過流量３．７Ｌ／ｍｉｎで通算１０，０００Ｌ通水した。通水開始時（１０分間通水後）並びに５，０００及び１０，０００Ｌ通水時に、ろ過水及び試料水を採取して、総トリハロメタンを測定した。また、ろ過水及び試料水の測定値から除去率を算出した。結果は表６のようになった。
【００３２】
【表５】
0003097872.tif 000007
【００３３】
【表６】
0003097872.tif 000008
【００３４】
（５）ＣＡＴ除去性能試験（甲）
ａ．試験概要：ＪＩＳ　Ｓ　３２０１　１９９９「家庭用浄水器試験方法」の連続式浄水器によって、ＣＡＴ（２−クロロ−４，６−ビスエチルアミノ−１，３，５−トリアジン）を０．００３０±０．０００６ｍｇ／Ｌの濃度に、水温を２０±３℃でに設定した試料水を調整し、検体にろ過流量３．７Ｌ／ｍｉｎで１０分間通水後、ろ過水及び試料水を採取して、ＣＡＴを測定した。また、ろ過水及び試料水の測定値から除去率を算出した。結果は表４のようになった。なお、ろ過水中の濃度が検出限界以下の場合は検出限界から求めた。結果は表７のようになった。
【００３５】
【表７】
0003097872.tif 000009
【００３６】
（６）ＣＡＴろ過能力試験（甲）
ａ．試験概要：ＪＩＳ　Ｓ　３２０１　１９９９「家庭用浄水器試験方法」の連続式浄水器によって、ＣＡＴ（２−クロロ−４，６−ビスエチルアミノ−１，３，５−トリアジン）を０．００３０±０．０００６ｍｇ／Ｌの濃度に、水温を２０±３℃でに設定した試料水を調整し、検体にろ過流量３．７Ｌ／ｍｉｎで通算１０，０００Ｌ通水した。通水開始時（１０分間通水後）並びに５，０００及び１０，０００Ｌ通水時に、ろ過水及び試料水を採取して、ＣＡＴを測定した。また、ろ過水及び試料水の測定値から除去率を算出した。なお、ろ過水中の濃度が検出限界以下の場合は検出限界から求めた。結果は表８のようになった。
【００３７】
【表８】
0003097872.tif 000010
【００３８】
（７）溶解性鉛除去性能試験（甲）
ａ．試験概要：ＪＩＳ　Ｓ　３２０１　１９９９「家庭用浄水器試験方法」の連続式浄水器によって、鉛を０．０５０±０．００５ｍｇ／Ｌの濃度に、水温を２０±３℃でに設定した試料水を調整し、検体にろ過流量３．７Ｌ／ｍｉｎで１０分間通水後、ろ過水及び試料水を採取して、溶解性鉛を測定した。また、ろ過水及び試料水の測定値から除去率を算出した。なお、ろ過水中の濃度が検出限界以下の場合は検出限界から求めた。結果は表９のようになった。
【００３９】
【表９】
0003097872.tif 000011
【００４０】
（８）熔解性鉛ろ過能力試験（甲）
ａ．試験概要：ＪＩＳ　Ｓ　３２０１　１９９９「家庭用浄水器試験方法」の連続式浄水器によって、鉛を０．０５０±０．００５ｍｇ／Ｌの濃度に、水温を２０±３℃でに設定した試料水を調整し、検体にろ過流量３．７Ｌ／ｍｉｎで通算３０，０００Ｌ通水した。通水開始時（１０分間通水後）並びに５，０００、１０，０００、２０，０００、３０，０００Ｌ通水時に、ろ過水及び試料水を採取して、熔解性鉛を測定した。また、ろ過水及び試料水の測定値から除去率を算出した。なお、ろ過水中の濃度が検出限界以下の場合は検出限界から求めた。結果は表１０のようになった。
【００４１】
【表１０】
0003097872.tif 000012
【００４２】
（９）硝酸性窒素除去性能試験（甲）
ａ．硝酸性窒素の濃度を１５ｍｇ／Ｌに、水温を２０±３℃でに設定した水（以下「原水」という。）を調整し、検体に流量３．７Ｌ／ｍｉｎで１０分間通水後、通過水及び原水を採水して硝酸性窒素を測定した。結果を表１１に示す。
【００４３】
【表１１】
0003097872.tif 000013
（１０）硝酸性窒素除去能力試験（乙）
ａ．硝酸性窒素の濃度を２０ｍｇ／Ｌ以上に、水温を２０±３℃でに設定した水（以下「原水」という。）を調整し、検体に流量３．５Ｌ／ｍｉｎで１０分間通水後、５００、１０００Ｌ通水時の硝酸性窒素の除去能力を測定した。結果を表１２，１３，１４，１５に示す。
【００４４】
【表１２】
0003097872.tif 000014
【００４５】
【表１３】
0003097872.tif 000015
【００４６】
【表１４】
0003097872.tif 000016
【００４７】
【表１５】
0003097872.tif 000017
【００４８】
（１１）チューブラフィルターカートリッジの粒子除去試験
ａ．原水とろ過水をパーティクルカウンターにより計測し各粒子の除去効率を求めた。流量５Ｌ／ｍｉｎ、流体は精製水、ダストはらラテックスビーズ、ろ過法はワンパスろ過である。フィルタは公称１μｍタイプである。結果は表１６に示す。塩素殺菌でも死滅しないクリプトスポリジウムも、その径が５μｍ以上であるのでほぼ１００％除去できることがわかる。
【００４９】
【表１６】
0003097872.tif 000018
【００５０】
【考案の効果】
以上説明したように、本考案による水浄化還元ろ過器によれば、
（１）第１のカートリッジのＡ層の麦飯石セラミックス＋ＣＲＲセラミックスによって、多元素ミネラル成分が溶出し、処理対象水中に含まれる有害ミネラル成分とイオン結合しフロック状態になるので、下流の充填ろ材の劣化防止をはかれる。
（２）特殊イオン交換樹脂層において、人工的に作った処理対象水に硝酸性窒素を２０ｍｇ／Ｌ含有させて原水とし９０％以上の除去で１０００Ｌまで処理することができ、また飽和状態にイオン交換された樹脂は食塩水のＮａ＋によって再生することが可能である。
（３）流体の磁化浄化装置によって、処理対象水をイオン活性化することにより、下流のマイナスイオン発生セラミックスの効果を高めることができる。
（４）マイナスイオン発生セラミックス層にて鉱物性マイナスイオン及び電気的マイナスイオンを８００〜２０００個発生させることができる。
（４）弱酸性型イオン交換繊維充填層にて鉛０．０５ｍｇ／Ｌ含有原水を０．０１ｍｇ／Ｌ以下に３０，０００Ｌ以上処理することができる。
（６）超高度亜硫酸カルシウムセラミックス層にて極微細量溶出する非炭酸カルシウムミネラル成分によりビタミンＣ、カテキン、ポリフェノールと同様に体内水分を還元する還元機能水に処理対象水を変えることができる。
（７）活性炭素吸着層にてトリハロメタン成分を１０，０００Ｌ以上、遊離残留塩素成分を５０，０００Ｌ以上（１００％カット）、ＣＡＴ（農薬成分）、２−ＭＩＢ（カビ成分）を各カートリッジ充填ろ材相乗効果によって３０，０００Ｌ以上カットすることができる。
（８）塩素消毒殺菌剤では死滅させることができない、クリプトスポリジウム菌類をチューブラフィルターにより確実に除去することができる。除去性能は処理水メンブレムラインに装着することにより１０，０００Ｌ以上使用可能である。
【図面の簡単な説明】
【図１】本考案に係る水浄化還元ろ過器の実施形態を示す図である。
【符号の説明】
１　　　流入用ホース
２　　　流出用ホース
３　　　不織布フィルター
４　　　整流板
８　　　吐出配管
９　　　チューブラウルトラフィルターカートリッジ
１０　　第１のカートリッジ
２０　　第２のカートリッジ
３０　　磁気浄化装置
４０　　ケース
５０　　水浄化還元ろ過器
【図１】
0003097872.tif 000019